(57)【要約】      （修正有）【課題】床に固定具を取り付けず、通常の家具として、いつでも移動が可能であり、必要な時だけ、強固に床に吸着し、転倒防止機能として働く防災テーブルを提供する。【解決手段】天板と、天板を両側面で支持する側面支持材とからなるテーブルであって、側面支持材の下部で嵌合され、左右の側面支持材を連結する底板と、底板の下面側に複数設置された吸盤及び／又は吸着材を有する事を特徴とし、好ましくは、正面開放部にシャッター５を設け、かつ、シャッター５を左右に開閉可能とする事を特徴とする防災テーブルである。【選択図】図６
0003180550.tif 000002
【実用新案登録請求の範囲】
【請求項１】
天板と、天板を両側面で支持する側面支持材とからなるテーブルであって、側面支持材の下部で嵌合され、左右の側面支持材を連結する底板と、底板の下面側に複数設置された吸盤及び／又は吸着材を有する事を特徴とする防災テーブル。
【請求項２】
正面開放部にシャッターを設け、かつ、シャッターを左右に開閉可能とする事を特徴とする請求項１記載の防災テーブル。
【請求項３】
側面支持材内側にグリップを有する事を特徴とする請求項１又は２記載の防災テーブル。
【請求項４】
天板の裏面及び側面支持材下部の側面レール支持材と左右連結板それぞれにシャッターレールを有する事を特徴とする請求項１〜３記載の防災テーブル
【請求項５】
正面開放部に設けた左右のシャッターは稼働ワイヤーと滑車により、左右連動した開閉を可能とするスライド機構を有する事を特徴とする請求項１〜４記載の防災テーブルある。
【考案の詳細な説明】
【技術分野】
【０００１】
この考案は、地震発生時、避難場所を確保する為の防災テーブルに関するものである。
【背景技術】
【０００２】
従来の防災テーブルの転倒防止策としては、床に対し、固定金具及び連結棒を用いてテーブルを固着させるものがある。しかし、これらの地震防災テーブルでは、床に金具を取り付ける加工を必要とし、また、一度固定してしまうと、配置位置を移動する事ができず、家具としての自由な配置をすることができなかった。
特許文献１には防災テーブルの正面部にロールカーテンを設ける事が開示されている。しかしながら、正面部をロールカーテンとすると災害時に正面から重量物が飛び込みを防止することが出来ず、防災テーブルの中に避難した人を障害物の飛び込みによる怪我から守ることはできないという問題点があった。
【先行技術文献】
【特許文献】
【０００３】
【特許文献１】登録実用新案第３１２２５８４号
【考案の概要】
【考案が解決しようとする課題】
【０００４】
本考案では、床に固定具を取り付けず、通常の家具として、いつでも移動が可能であり、人が内部に入った時だけ、人の体重により、吸盤が床に吸着し、転倒を防止する。また、シャッターを閉める事により、防災テーブル内部に避難した人の怪我を防ぐことを可能とした防災テーブルを提供することにある。
【課題を解決するための手段】
【０００５】
本考案は、
（１）天板と、天板を両側面で支持する側面支持材とからなるテーブルであって、側面支持材の下部で嵌合され、左右の側面支持材を連結する底板と、底板の下面側に複数設置された吸盤及び／又は吸着材を有する事を特徴とする防災テーブル。
（２）正面開放部にシャッターを設け、かつ、シャッターを左右に開閉可能とする事を特徴とする（１）記載の防災テーブル。
（３）側面支持材内側にグリップを有する事を特徴とする（１）又は（２）記載の防災テーブル。
（４）天板の裏面及び側面支持材下部の側面レール支持材と左右連結板それぞれにシャッターレールを有する事を特徴とする（１）〜（３）記載の防災テーブル。
（５）正面開放部に設けた左右のシャッターは稼働ワイヤーと滑車により、左右連動した開閉を可能とするスライド機構を有する事を特徴とする（１）〜（４）記載の防災テーブルである。
本発明の防災テーブルは、木製、金属製又は樹脂製である。
シャッターの取り付けは、天板裏面又は側面支持材外側上部及び側面支持材の外側下部と左右連結板にシャッターレールが設けられ、シャッターレールはそれぞれの取り付け部に溝を掘る事により埋め込む事ができる。
シャッターの形状は板状、布状、波板形状及び／又はスラット（鎧）蛇腹形状の構造を有する。
側面支持材は四隅の支持材の前後を板等で連結し、側面開放部を塞ぐ構造であっても良い。
【考案の効果】
【０００６】
１）転倒防止付の防災テーブルでありながら、通常時は家具として自由に配置移動できる。地震発生時、人がテーブルの内部に入る事により、自らの自重により、底板に取り付けられた吸盤もしくは、吸着材が床に吸着することで、テーブル自体の転倒を防止する事ができる。
２）シャッターにより、外部より障害物が飛んできても、内部への飛び込みを防止し、内部に避難した人を防護できる。
３）防災テーブルの内部に入った人は、グリップに捉る事により、体を保持出来る為、防災テーブルから飛び出さず、人間が安全に怪我を防止できる事を考案の効果とする。
【図面の簡単な説明】
【０００７】
【図１】本考案の防災テーブルの使用時の説明図である。
【図２】側面支持材と底板の組み込み説明図である。
【図３】底板への吸盤配置図である。
【図４】例として、底板へのナット付吸盤の取り付け図である。
【図５】側面レール支持材と左右連結材に設けられる下部シャッターレールの配置図である。この下部シャッターレールに対向する上部シャッターレールが天板の裏側に取り付けられる。
【図６】防災テーブルにシャッターを取り付けた全体図である。裏側のシャッターは外した説明図である。
【図７】テーブル内部の説明図である。
【図８】左右連結板の内部に設けられたスライド機構の説明図である。
【図９】シャッターとスライドレールの組み込み説明図である。
【実施例】
【０００８】
１は天板、２は側面支持材、３は底板、４は吸盤、５はシャッター、６はグリップ、７は左右連結板、８は側面レール支持材、９、シャッターレール、１０は稼働ワイヤー、１１は滑車、１２はスライドコネクタ、１３はシャッタータイヤ、１４シャッター取手部、１５スライドコネクタ連結ピン、１６シャッターレール蓋、１７は筋かいである。
「図１」において
１の天板の外周を不均等素材で修飾しても良い、天板の裏面には９のシャッターレールが設けられ、左右の側部には２の側面支持材が設けられ、２の側面支持材の下部には、３の底板が設けられている。
【０００９】
「図２」において
２の側面支持材の下部には、３の底板を取り付ける為の長穴が開いており、３の底板が嵌合される。
「図３」において
３の底板は、構造合板を使用し、ウレタンクッション又はパンチカーペットを敷き、さらには、表面を合成皮材により覆われている。３の底板の裏面には、吸盤取り付け用の段付き貫通穴が複数開けられ、４の吸盤が取り付けられる。
「図４」において
専用金具とピン圧入により、吸盤が取り付けられている。また、吸盤取り付け方法としては、ボルト付吸盤やナット付吸盤を使用し、一般的なボルトやナットで取り付けする事もできる。
「図５」において
７の左右連結板と８の側面レール支持材により、下枠が組まれ、図５の配置で９のシャッターレール下部が設けられる。また、１の天板の裏面にも同等の９のシャッターレール上部が設けられる。
【００１０】
「図６」において
９のシャッターレールの上部と下部の間には、５のシャッターが４枚取り付けられ、テーブル正面及び裏面の開放部を覆う事ができる。
「図７」において
２の側面支持材の内側には６のグリップが設けられ、人が避難する空間を確保している。２の側面支持材は、１の天板と７の左右連結板の接続部に１７の筋かいを設ける事で全体の剛性を確保している。
「図８」において
７の左右連結板の内部には、１１の滑車が４個に１０の稼働ワイヤーを８の字に巻いて連結してある。その１０の稼働ワイヤーには、左右対称に取り付けられた１２のスライドコネクタ２個が設けられ、それぞれの１２のスライドコネクタは逆方向へ左右連動して動くスライド機構を構成する。
７の左右連結板には、深さの異なるレールが掘られ、浅い部分には、上記のスライド機構が設置され、深い部分は１２のスライドコネクタと５のシャッターのスライドレールとして機能する。さらには、１６のシャッターレール蓋が被さり、７の左右連結板は全体として連動スライド機構付きのシャッターレールとして機能する。
このスライド機構はテーブル正面及び裏面の上下に設けられる。
【００１１】
「図９」において
７の左右連結板と１６のシャッターレール蓋により９のシャッターレールが構成され、シャッターレールの溝の中には１２のスライドコネクタが見えている。
１４のシャッター取っ手部の下端には１５のスライドコネクタピンが設けられ、上記１２のスライドコネクタの穴に嵌合される事により、左右連動したスライド機能となる。
５のシャッターの下部には１３のシャッタータイヤが設けられ、９のシャッターレール内でスムースなスライドを可能としている。
【００１２】
地震発生時、人はテーブルの内部に入る事により、自らの自重により、底板に取り付けられた吸盤もしくは、吸着材が床に吸着することで、テーブル自体の転倒を防止するものである。また、テーブル内部入った人は、グリップに捉る事で自らの姿勢を安定される事ができ、シャッターを閉める作業を可能とするものである。左右連結板は、それ自体、外部からの障害物の飛び込みを防止する効果と共に、シャッターレールとその稼働ワイヤー及び滑車により、左右連動した開閉を可能とし、外部から障害物の飛び込みを防止し、内部に避難した人を防護するものである。
【符号の説明】
【００１３】
１天板
２側面支持材
３底板
４吸盤
５シャッター
６グリップ
７左右連結板
８側面レール支持材
９シャッターレール
１０稼働ワイヤー
１１滑車
１２スライドコネクタ
１３シャッタータイヤ
１４シャッター取手部
１５スライドコネクタ連結ピン
１６シャッターレール蓋
１７筋かい
【図１】
0003180550.tif 000003
【図２】
0003180550.tif 000004
【図３】
0003180550.tif 000005
【図４】
0003180550.tif 000006
【図５】
0003180550.tif 000007
【図６】
0003180550.tif 000008
【図７】
0003180550.tif 000009
【図８】
0003180550.tif 000010
【図９】
0003180550.tif 000011
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
天板と、天板を両側面で支持する側面支持材とからなるテーブルであって、側面支持材の下部で嵌合され、左右の側面支持材を連結する底板と、底板の下面側に複数設置された吸盤及び／又は吸着材を有する事を特徴とする防災テーブル。
【請求項２】
正面開放部にシャッターを設け、かつ、シャッターを左右に開閉可能とする事を特徴とする請求項１記載の防災テーブル。
【請求項３】
側面支持材内側にグリップを有する事を特徴とする請求項１又は２記載の防災テーブル。
【請求項４】
天板の裏面及び側面支持材下部の側面レール支持材と左右連結板それぞれにシャッターレールを有する事を特徴とする請求項１〜３のいずれか一項に記載の防災テーブル。
【請求項５】
正面開放部に設けた左右のシャッターは稼働ワイヤーと滑車により、左右連動した開閉を可能とするスライド機構を有する事を特徴とする請求項１〜４記載のいずれか一項に記載の防災テーブル。